(57)【要約】【課題】外部から入力された音楽データについて、再生時に備えて予め自動的に分類して記録する。【解決手段】音楽データを受信し、受信した音楽データに付加情報が存在する場合には、当該付加情報に応じてその音楽データを自動的に分類して記録部１３に記録させ、記録部１３に記録された音楽データを再生部１４へ転送して再生することにより、たとえ入力される音楽データの数が著しく増加しても、ユーザ自身が再生時に備えて、音楽データを分類して記録する労力を軽減させる。【選択図】  図４
2004152327.tif 000002
【特許請求の範囲】
【請求項１】
音楽データを受信する受信手段と、
上記音楽データを記録するための記録手段と、
上記受信手段により受信された上記音楽データに付加情報が存在する場合には当該付加情報に応じて上記音楽データを自動的に分類して上記記録手段に記録させ、また再生する音楽データを上記記録手段から転送する記録再生制御手段と、
上記記録再生制御手段により転送された上記音楽データを再生するための再生手段とを備えること
を特徴とする音楽記録再生装置。
【請求項２】
上記記録手段は、上記付加情報に基づいてアドレス領域が指定され、
上記記録再生制御手段は、上記分類した音楽データを、付加情報の合致する上記アドレス領域にそれぞれ記録させること
を特徴とする請求項１記載の音楽記録再生装置。
【請求項３】
上記記録手段は、上記付加情報に基づいて作成された複数のフォルダを有し、
上記記録再生制御手段は、上記分類した音楽データを、付加情報の合致する上記フォルダにそれぞれ記録させること
を特徴とする請求項１記載の音楽記録再生装置。
【請求項４】
上記記録再生制御手段は、上記音楽データの付加情報に合致したフォルダが存在しない場合には新たにフォルダを作成し、その新たに作成したフォルダに当該音楽データを記録させること
を特徴とする請求項３記載の音楽記録再生装置。
【請求項５】
上記記録再生制御手段は、上記分類した音楽データに対し、その分類項目に基づく識別子を付して上記記録手段へ記録させること
を特徴とする請求項１記載の音楽記録再生装置。
【請求項６】
上記記録再生制御手段は、上記受信手段により受信された上記音楽データに付加情報が存在しない場合には、当該音楽データを別途自動的に分類して上記記録手段へ記録させること
を特徴とする請求項１記載の音楽記録再生装置。
【請求項７】
上記受信手段は、ＭＰ３（ＭＰＥＧ−１  Ａｕｄｉｏ  Ｌａｙｅｒ３）規格に基づく音楽データを通信網を介して受信すること
を特徴とする請求項１記載の音楽記録再生装置。
【請求項８】
上記記録手段に記録された音楽データを表示する表示手段と、
ユーザが音楽データを指定するための指定手段とをさらに備え、
上記記録再生制御手段は、上記指定手段を介して指定された音楽データを上記記録手段から転送すること
を特徴とする請求項１記載の音楽記録再生装置。
【請求項９】
上記表示手段は、上記分類された音楽データに関する情報をその分類項目毎に表示し、
上記記録再生制御手段は、上記指定手段を介して上記分類項目毎に指定された音楽データを上記記録手段から転送すること
を特徴とする請求項８記載の音楽記録再生装置。
【請求項１０】
上記記録再生制御手段は、上記指定手段を介して音楽データが指定されない場合には、上記分類された音楽データを任意の分類項目毎に上記記録手段から転送すること
を特徴とする請求項９記載の音楽記録再生装置。
【請求項１１】
音楽データを受信し、
受信した上記音楽データに付加情報が存在する場合には、当該付加情報に応じて上記音楽データを自動的に分類して記録部に記録させ、
上記記録部に記録された音楽データを再生部へ転送して再生すること
を特徴とする音楽記録再生方法。
【請求項１２】
上記付加情報に基づいてアドレス領域が指定された記録部に対して、上記分類した音楽データを、付加情報の合致する上記アドレス領域にそれぞれ記録すること
を特徴とする請求項１１記載の音楽記録再生方法。
【請求項１３】
上記付加情報に基づいて作成された複数のフォルダを有する記録部に対して、上記分類した音楽データを、付加情報の合致する上記フォルダ内にそれぞれ記録すること
を特徴とする請求項１１記載の音楽記録再生方法。
【請求項１４】
上記音楽データの付加情報に合致したフォルダが存在しない場合には新たにフォルダを作成し、その新たに作成したフォルダに当該音楽データを記録すること
を特徴とする請求項１３記載の音楽記録再生方法。
【請求項１５】
上記分類した音楽データに対し、その分類項目に基づく識別子を付して上記記録部へ記録すること
を特徴とする請求項１１記載の音楽記録再生方法。
【請求項１６】
受信した上記音楽データに付加情報が存在しない場合には、当該音楽データを別途自動的に分類して上記記録部へ記録すること
を特徴とする請求項１１記載の音楽記録再生方法。
【請求項１７】
ＭＰ３（ＭＰＥＧ−１  Ａｕｄｉｏ  Ｌａｙｅｒ３）規格に基づく音楽データを通信網を介して受信すること
を特徴とする請求項１１記載の音楽記録再生方法。
【請求項１８】
上記記録部に記録された音楽データを表示し、
指定された音楽データを上記記録部から転送すること
を特徴とする請求項１１記載の音楽記録再生方法。
【請求項１９】
上記分類された音楽データに関する情報をその分類項目毎に表示し、上記分類項目毎に指定された音楽データを上記記録部から転送すること
を特徴とする請求項１８記載の音楽記録再生方法。
【請求項２０】
音楽データが指定されない場合には、上記分類された音楽データを任意の分類項目毎に転送すること
を特徴とする請求項１９記載の音楽記録再生方法。
【発明の詳細な説明】
【０００１】
【発明の属する技術分野】
本発明は、入力される音楽データを記録して再生する音楽記録再生装置及び方法に関し、特に音楽データの付加情報に応じて自動的に分類して記録することが可能な音楽記録再生装置及び方法に関する。
【０００２】
【従来の技術】
従来より、ＣＤ（Ｃｏｍｐａｃｔ  Ｄｉｓｃ）、ＤＶＤ（Ｄｉｇｉｔａｌ  Ｖｉｄｅｏ  Ｄｉｓｃ）等のメディアを再生可能なオーディオ機器が普及している。このためユーザは、各自入手した音楽ソフトをかかるオーディオ機器を用いて自由に鑑賞することができる。また、ＰＣ（Ｐｅｒｓｏｎａｌ  Ｃｏｍｐｕｔｅｒ）等に搭載されたハードディスクに、メディアから比較的大きなサイズの音楽データを大量に記録することが可能となり、高速なランダムアクセスや複数のデータに対する記録再生の同時処理機能を活かしつつ、柔軟な記録再生動作を実現することができる。
【０００３】
特に近年において、記録可能なメディアであるＭＤ（Ｍｉｎｉ  Ｄｉｓｃ）を用いることにより、ＰＣから好みのジャンルの曲だけを分類して編集することができ、選曲された音楽データのみからなるオリジナルディスクを作成することも可能となっている。またＰＣは、ハードディスクへ順次記録した音楽データについて予め目次データを作成しておき、再生時にかかる目次データを読み出して表示させることにより、再生順序の決定をユーザに対して促すこともできる。さらにこのＰＣは、以前の再生順序を記録した例えばプレイリスト等のファイルを作成してそれに従い再生動作を実現することも可能となっている。
【０００４】
ところで、かかるオーディオ機器やＰＣでは、ユーザ自身が選曲して録音、再生操作を実行しなければならないため労力の負担が増大し、好みのジャンルの曲を連続して鑑賞できるまでに長時間を要してしまう。
【０００５】
このため従来において、人手を介さずに音楽データの特徴部分に応じて自動的に分類が可能な音楽ソフト自動分類装置（例えば、特許文献１参照。）が提案されている。
【０００６】
この音楽ソフト自動分類装置６は、例えば図５に示すように、音楽ソフトを記録した「第１の記録媒体」の再生を行う再生部６０と、編集録音したい特定のジャンルを指定，設定入力するとともに、再生部６０で再生された音楽の特徴部分を抽出する特徴検出部７０と、予め用意した「第２の記録媒体」に所望のジャンルのみを録音する録音部８０とを備えている。
【０００７】
このような構成からなる音楽ソフト自動分類装置６において、先ず特徴検出部７０に対して特定のジャンルを設定する。そして再生部６０により再生した音楽ソフトから特徴検出部７０が特徴部分を検出し、さらにその音楽ソフトの特徴を分類して得た分類記号を録音部８０へ送信する。録音部８０には、予め音楽のジャンル別にグループ分けした録音用の記録媒体が用意され、分類記号に応じて選択された一の記録媒体へ、再生された音楽ソフトを録音する。
【０００８】
これにより、人手を介することなく、自動的に所望のジャンルの曲のみを記録媒体に録音することが可能となる。
【０００９】
また、従来において、かかるユーザの選択操作の多様化かつ簡易化を実現する情報配信システム（例えば、特許文献２参照。）も提案されている。
【００１０】
この情報配信システム８は、例えば図６に示すように、ＣＤ等のメディアで一般に販売，提供されている膨大な曲について分類項目毎に分類したデータベースを備える情報センタ９１と、当該情報センタ９１から供給される曲を記録して再生するための記録再生装置９２から構成される。この情報配信システム８では、記録再生装置９２から送信される検索対象情報とデータベースを用いた検索動作を実行することができる。
【００１１】
ユーザは、情報センタ９１を利用しファイル選択を希望する場合に、記録再生装置９２から検索要求の操作を実行すると、記録再生装置９２から情報センタ９１へ検索要求が送信される（通信Ｓ５１）。情報センタ９１は、かかる検索要求を受信すると、それに対応した選択メニュー情報を送信する（通信Ｓ５２）。即ち、情報センタ９１側のデータベースに用意されている選択項目の情報を送り、記録再生装置９２側で、データベース上の分類項目を選択メニューとして表示できるようにする。
【００１２】
また、記録再生装置９２側で、選択メニューを介して分類項目が選択されると、記録再生装置９２から情報センタ９１へかかる分類項目情報が、ユーザが所有する全曲のＩＤとともに送信される（通信Ｓ５３）。情報センタ９１は、選択された分類項目及び全曲のＩＤを受けて、データベースを使用して検索を行い、分類項目情報に合致した該当曲を記録再生装置９２へ送信する（通信Ｓ５４）。
【００１３】
これによりデータベースにおいて、例えば、季節、時間、イベント、気分、各種シチュエーション等の多様な事象に応じた分類項目でデータファイルの分類を行っておき、ユーザが単にその日の気分や状況に応じて分類項目を指定することにより、かかるデータファイルの処理（再生や移動等）を実行することができ、労力の負担を軽減させることが可能となる。
【００１４】
【特許文献１】
特開２０００−２６８５４１号公報
【特許文献２】
特開平１１−２４２６８６号公報
【００１５】
【発明が解決しようとする課題】
ところで、近年において、インターネットやケーブルテレビ等のネットワークを用いた音楽データのオンライン配信が実用化され始めている。
【００１６】
このような音楽データの配信システムにおいて、データ配信業者は、ネットワークのＷｅｂ上に配信すべき音楽データを提供する。また、この配信システムを利用するユーザは、自己のＰＣを用いて、コンテンツ配信業者が提供するＷｅｂ等にアクセスをして、所望の音楽データをダウンロードする。
【００１７】
しかしながら、かかる音楽データの配信システムでは、音楽データを配信するデータ配信業者は数多く存在し、またユーザは、世界規模で拡大したインターネット網からあらゆる音楽データをいつでもダウンロードすることができる。このため、各ユーザのＰＣにダウンロードされる音楽データの数は著しく増加してゆく傾向にある。
【００１８】
かかる場合において、従来と同様にユーザ自身が分類，選曲して録音、再生操作を実行することになれば、ダウンロードされる音楽データの数に応じて労力の負担はさらに増大することになり、また再生の都度、ユーザに対して何らかの再生順序の決定を促すのは、非常に煩雑でしかも長時間を要する作業を課すこととなり妥当性を欠くことにもなる。このため外部から入力された音楽データについて、再生時に備えて予め自動的に分類して記録する必要がある。
【００１９】
一方、特許文献１、２では、発明の目的が異なることに加えて、外部から入力された音楽データについて、再生時に備えて予め自動的に分類して記録する構成、作用につき、何ら記載も示唆もなく、上述した問題点を解決することができない。
【００２０】
そこで本発明は、外部から入力された音楽データについて、再生時に備えて予め自動的に分類して記録することができる音楽記録再生装置及び方法を提供することを目的とする。
【００２１】
【課題を解決するための手段】
本発明者は、受信した音楽データに付加情報が存在する場合には、再生時に備えて当該付加情報に応じてその音楽データを予め自動的に分類して記録部に記録させることができる音楽記録再生装置及び方法を発明した。
【００２２】
すなわち、本発明を適用した音楽記録再生装置は、音楽データを受信する受信手段と、音楽データを記録するための記録手段と、受信手段により受信された音楽データに付加情報が存在する場合には当該付加情報に応じてその音楽データを自動的に分類して記録手段に記録させ、また再生する音楽データを記録手段から転送する記録再生制御手段と、記録再生制御手段により転送された音楽データを再生するための再生手段とを備える。
【００２３】
また、本発明を適用した音楽記録再生方法は、音楽データを受信し、受信した音楽データに付加情報が存在する場合には、当該付加情報に応じてその音楽データを自動的に分類して記録部に記録させ、記録部に記録された音楽データを再生部へ転送して再生する。
【００２４】
【発明の実施の形態】
以下、本発明の実施の形態について図面を参照しながら詳細に説明する。
【００２５】
本発明は、外部から入力される音楽データを記録して再生する音楽記録再生装置に適用される。この音楽記録再生装置は、例えば、図示しないネットワークと接続するためのモデム等を備えたＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）等であり、図１に示すように、音楽データをネットワークを介して送受信する送受信部１１と、この送受信部１１から送信される音楽データを内部データバス２１へ出力する通信部１２と、内部データバス２１にそれぞれ接続されるハードディスク（以下、ＨＤＤという。）１３及びサウンドコントロール部１４と、当該内部データバス２１を介して各部の処理動作を制御するバスコントローラ１５と、バスコントローラ１５及び内部データバス２１を介して制御信号を送信するＣＰＵ（Ｃｅｎｔｒａｌ  Ｐｒｏｃｅｓｓｉｎｇ  Ｕｎｉｔ）１６と、サウンドコントロール部１４に接続されるスピーカ１７と、ＣＰＵ１６に接続される表示部１８及び操作キー１９とを備えている。
【００２６】
送受信部１１は、図示しないネットワークと無線通信により各種情報を受信するための無線ＬＡＮカード、或いは図示しないネットワークと電話回線を介した有線通信により各種情報を受信する有線イーサネットケーブル等で構成される。ちなみに、図示しないネットワークは、例えば、ＰＣと電話回線を介して接続されるインターネット（Ｉｎｔｅｒｎｅｔ）網、携帯電話と接続される移動体通信網（Ｍｏｂｉｌｅ  Ｎｅｔｗｏｒｋ）、ＴＡ／モデムと接続されるＩＳＤＮ（Ｉｎｔｅｇｒａｔｅｄ  Ｓｅｒｖｉｃｅｓ  Ｄｉｇｉｔａｌ  Ｎｅｔｗｏｒｋ）／Ｂ（ｂｒｏａｄｂａｎｄ）−ＩＳＤＮ，ＳＴＢと接続される衛星通信網（Ｂｒｏａｄｃａｓｔｉｎｇ）等である。なお、この送受信部１１において、送信機能はあくまで必須でなく、受信機能のみ備えるものであってもよい。
【００２７】
通信部１２は、通信インターフェース等を備え、図示しないネットワークと、送受信部１１との音楽データの送受信を制御する。この通信部１２は、音楽データの送受信を、例えばインターネット上でのデータ転送のためのインターフェースを提供するＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等を用いて実現してもよい。
【００２８】
ＨＤＤ１３は、接続された内部データバス２１を介して、音楽データを受け取り、これを指定されたアドレスへ記録する。ちなみに、各音楽データを記録するためのアドレスの指定は、後述するＣＰＵ１６により実行される。
【００２９】
サウンドコントロール部１４は、内部データバス２１を介して転送される音楽データについて、それぞれ楽音信号を生成して、これを出力する。なお、このサウンドコントロール部１４において複数チャンネルで楽音信号を同時に発生させる場合には、１つの回路を時分割で使用してもよいし、また１つの発音チャンネルを１つの回路で構成してもよい。なお、サウンドコントロール部１４から出力された楽音信号は、スピーカ１７へ供給されて音声出力されることになる。
【００３０】
バスコントローラ１５は、ＣＰＵ１６から送信される制御信号に基づき、内部データバス２１における各種データの入出力を制御するためのデバイスである。
【００３１】
ＣＰＵ１６は、バスコントローラ１５に対して制御信号を送信することにより、音楽記録再生装置１全体を制御する中央演算ユニットであり、実行すべき制御プログラムを格納する図示しないＲＯＭ、及びデータの蓄積や展開等に使用する作業領域としての図示しないＤＲＡＭに接続される。また、このＣＰＵ１６は、操作キー１９の操作に応じて各種制御用の指令をバスコントローラ１５を介して伝達したり、或いは演奏経過時間や再生している音楽データのタイトル等の文字情報を表示部１８へ表示させる。
【００３２】
このＣＰＵ１６は、通信部１２が音楽データを受信した場合に、内部データバス２１及びバスコントローラ１５を介してこれを識別し、かかる音楽データにつき、後述する付加情報（ＩＤ３タグ）が存在するか否か検索する。ＣＰＵ１６は、通信部１２が受信した音楽データにつき、付加情報の存在を検出した場合には、当該付加情報を一時的に蓄積する。そして、このＣＰＵ１６は、この蓄積した付加情報に応じて音楽データを分類し、その音楽データのＨＤＤ１３へ記録するためのアドレスを決定する。さらにこのＣＰＵ１６は、決定したアドレスをＨＤＤ１３に対して指定し、当該音楽データをＨＤＤ１３へ記録させる。ＣＰＵ１６は、指定するアドレス領域を、分類項目毎に割り当てるようにする。
【００３３】
またＣＰＵ１６は、ＨＤＤ１３に対してアドレスを指定する代わりに、例えば各分類項目毎の複数のフォルダを作成し、分類した音楽データを、付加情報の合致するフォルダ内へ物理的に格納してもよい。かかる場合において、ＣＰＵ１６は、分類項目毎に割り当てられたアドレス領域に応じてフォルダを作成する。またＣＰＵ１６は、音楽データの付加情報に合致したフォルダが存在しない場合には、新たに作成したフォルダ内に当該音楽データを記録してもよい。これにより、分類した音楽データをユーザの嗜好に応じて、容易に整理することができ、またフォルダを指定するだけで、音楽データを再生することができるため、再生に要する労力をさらに軽減することが可能となる。
【００３４】
また、ＣＰＵ１６は、ＨＤＤ１３に割り当てられたアドレスの代替として、分類した各音楽データに対し、その分類項目に応じた識別子を付してＨＤＤ１３へ記録してもよい。これにより、ＣＰＵ１６は、音楽データにそれぞれ付加した識別子を基にして容易にこれを検索することができる。
【００３５】
ＣＰＵ１６は、例えば操作キー１９を介して、再生、早送り、巻き戻し、一時停止等の操作が行われた場合において、これらの動作を実現できるような制御信号を生成してバスコントローラ１５を介して送信する。例えば再生する旨の操作が行われた場合において、ＣＰＵ１６は、ＨＤＤ１３にその再生可能な音楽データが存在するときには、当該音楽データをＨＤＤ１３からサウンドコントロール部１４へ転送する旨の制御信号をバスコントローラ１５を介して送信する。その結果、サウンドコントロール部１４に転送された当該音楽データの再生が実現されることになる。さらに、このＣＰＵ１６は、操作キー１９を介して、例えば１曲リピートや全曲リピート、或いはシャッフル等の操作が行われた場合も同様に、これらの動作を実現できるような制御信号を生成し、バスコントローラ１５を介して送信する。
【００３６】
表示部１８は、例えば液晶表示素子からなり、ユーザに対して例えば音楽データに関する情報を表示するための液晶ディスプレイを構成する。また操作キー１９は、表示部１８による表示内容を視認したユーザが音楽記録再生装置１に対して所定の操作を実行するためのインターフェースである。
【００３７】
次に、本発明を適用した音楽記録再生装置１が受信する音楽データの詳細について説明をする。
【００３８】
音楽データは、上述した図示しないネットワークにより展開される配信システムから、音楽記録再生装置１へダウンロードすることができる音声ファイルである。音楽データのダウンロードを望むユーザは、操作キーを介してコンテンツ配信業者が提供するＷｅｂ等にアクセスし、所定のダウンロード操作を実行することにより、これを実現することができる。
【００３９】
音楽データは、例えばＭＰ３（ＭＰＥＧ−１  Ａｕｄｉｏ  Ｌａｙｅｒ３）規格に基づいて構成される。ＭＰ３は、音楽用のＣＤ（Ｃｏｍｐａｃｔ  Ｄｉｓｃ）とほぼ同等の音質で再生することを可能としつつ、１曲あたり４〜５ＭＢ前後のサイズで構成することができるため、高い圧縮率を得ることができる。ＭＰ３では、通常、曲に関する付加情報を埋め込むことができるＩＤ３タグが付加されている。ユーザは、音楽データの再生中に、ＩＤ３タグの情報を表示部１８を介して視認することができ、タイトルの確認や音楽データの管理に活用することができる。
【００４０】
図２は、このＩＤ３タグの構成を示している。ＩＤ３タグには、先頭に付加されたインデックスの後に、曲名、アーティスト名、アルバム名、録音名、コメント、ジャンル等が配列されており、ユーザがこれらについて自由に編集することも可能である。通常、このＩＤ３タグを編集する場合には、編集機能を有するソフトウェアを用いて実現することができる。ちなみにＩＤ３を構成する各データ情報の形式は、テキストデータ或いはバイナリーデータ等からなる。
【００４１】
なお、受信した音楽データにおけるＩＤ３タグは、ＣＰＵ１６により、バスコントローラ１５及び内部データバス２１を介して容易に検索することができる。ＣＰＵ１６は、例えば音楽データを１つのデータファイルとして取り扱い、キーワード（”ＴＡＧ”又は”ＩＤ３”）を検索する。その結果ＩＤ３タグが存在することを確認した場合に、ＣＰＵ１６は、図２に示す構成からなるＩＤ３タグ内の付加情報を一時的に蓄積して分類することができる。
【００４２】
次に、音楽データの付加情報に応じた分類方法について説明をする。
【００４３】
ＣＰＵ１６において、図３に示すように、アーティスト名により付加情報を分類する場合には、例えば分類項目として、名前があ行で始まるアーティスト、か行で始まるアーティスト、さ行で始まるアーティスト・・・と続くようにを設定する。またＣＰＵ１６において、アルバム名により付加情報を分類する場合には、例えば分類項目として、名前があ行で始まるアルバム名、か行で始まるアルバム名、さ行で始まるアルバム名・・・と続くように設定する。またＣＰＵ１６において、ジャンルにより分類する場合には、例えば分類項目として、洋楽、ジャズ、演歌、・・・と続くように設定をする。
【００４４】
ＣＰＵ１６において、アーティスト名で分類する場合には、一時的に蓄積した付加情報を識別し、どの分類項目に合致するかを判定する。例えば、識別した付加情報のアーティスト名が、「か行」で始まる場合には、その旨をＨＤＤ１３において記録するためのアドレスとして決定する。ＨＤＤ１３には、アーティスト名の各分類項目に応じてアドレスが割り振られており、ＣＰＵ１６から指定された「か行」に相当するアドレスに、そのＩＤ３タグを付加する音楽データを記録する。
【００４５】
またＣＰＵ１６において、ジャンルで分類する場合には、一時的に蓄積した付加情報を識別し、どの分類項目に合致するかを判定する。例えば、識別した付加情報のジャンルが「洋楽」である場合には、その旨をＨＤＤ１３において記録するためのアドレスとして決定する。ＨＤＤ１３には、ジャンル毎にアドレスが割り振られており、ＣＰＵ１６により指定された「洋楽」に相当するアドレスに、そのＩＤ３タグを付加する音楽データを記録する。
【００４６】
ちなみにＨＤＤ１３内において、分類項目に相当するアドレスが割り振られていない場合には、新たにその分類項目に相当するアドレスを割り振る。そして当該アドレスに、そのＩＤ３タグを付加する音楽データを記録する。
【００４７】
図４は、受信した音楽データにつき、アーティスト名で分類する手順を示すフローチャートである。
【００４８】
先ずステップＳ１１において、ＣＰＵ１６は、バスコントローラ１５及び内部データバス２１を介して、受信した音楽データにＩＤ３タグが存在するか否か検索する。その結果、ＩＤ３タグが存在することを確認した場合に、ステップＳ１２へ移行し、ＩＤ３タグが存在しないことを確認した場合にはステップＳ２１へ移行する。
【００４９】
ステップＳ２１において、ＣＰＵ１６は、ＩＤ３タグが存在しない音楽データのみ記録する「その他」のアドレスに、その受信した音楽データを記録させる。これにより、ＩＤ３タグが存在しない音楽データのみについて個別に分類することができるため、ユーザは、かかる音楽データのＩＤ３タグにつき容易に編集することができ、更にこれらについて分類、再生操作を実行させることも可能となる。ちなみに、ＣＰＵ１６は、「その他」のアドレスがＨＤＤ１３内に存在しない場合には、当該「その他」のアドレスを新たにＨＤＤ１３内に割り振ってもよい。
【００５０】
一方、ステップＳ１２において、ＣＰＵ１６は、ＩＤ３タグに配列しているアーティスト名”ＡＡＡ”が、ＨＤＤ１３内の分類項目としてアドレスが割り振られているか否か確認する。その結果、ＨＤＤ１３内に、そのアーティスト名”ＡＡＡ”に相当するアドレスが割り振られていない場合には、ステップＳ１３へ移行する。一方、ＨＤＤ１３内に、そのアーティスト名”ＡＡＡ”に相当するアドレスが割り振られている場合には、ステップＳ１４へ移行する。
【００５１】
ステップＳ１３では、ＩＤ３タグに配列しているアーティスト名”ＡＡＡ”に相当する分類項目を、新たにＨＤＤ１３内のアドレスに割り振る。ステップＳ１４では、ＨＤＤ１３の分類項目に応じたアドレスに、その受信した音楽データを記録する。
【００５２】
すなわち、本発明を適用した音楽記録再生装置１は、受信した音楽データに付加情報が存在する場合には、再生時に備えて当該付加情報に応じてその音楽データを予め自動的に分類してＨＤＤ１３等の記録部に記録させることができる。
【００５３】
これにより、ユーザ自身が再生時に備えて、音楽データを分類して記録する必要がなくなるため、入力される音楽データの数が著しく増加しても、労力の負担を軽減させ、ひいては、記録，再生に要する時間を大幅に短縮させることが可能となる。
【００５４】
ＣＰＵ１６は、上述した図４のフローに基づく分類を実行した後、ＨＤＤ１３内に記録された音楽データに関する情報を、必要に応じて表示部１８を介して表示する。これによりユーザは、ＨＤＤ１３に記録されている音楽データの状況を確認することができる。ＣＰＵ１６は、ＨＤＤ１３に記録された音楽データにつき、その分類項目毎に表示してもよく、例えば各分類項目毎のフォルダを作成した場合には、このフォルダ毎に表示してもよい。これによりユーザは、操作キー１９を用いて、音楽データを分類項目毎に容易に指定することができる。さらにユーザは、再生する分類項目順に音楽データを容易に指定することができる。
【００５５】
またＣＰＵ１６は、ユーザが操作キーを介して入力した分類項目を、ＨＤＤ１３から自動的に検索して表示部１８へ表示してもよい。これによりユーザは、予め分類されてＨＤＤ１３内に記録されている音楽データを表示部１８へ容易に表示させることができる。
【００５６】
また、ＣＰＵ１６は、ユーザにより指定された分類項目の再生順序を、ＨＤＤ１３から自動的に検索して表示部１８へ表示させ、さらには、かかる順序で自動的に再生処理を実行させてもよい。これにより、ユーザ自身が分類項目を検索して、その都度再生操作を実行する労力を軽減させることができ、ダウンロードされる音楽データの数が膨大になっても、短時間で効率よく音楽データを再生させることが可能となる。
【００５７】
なお、ＣＰＵ１６に対して、この分類項目の検索機能を付加する場合に限定されることなく、別途、図示しない検索部を設けてこれを実行してもよいことは勿論である。
【００５８】
またＣＰＵ１６は、操作キー１９を介してユーザから分類項目が指定されない場合に、任意の音楽データ、或いは任意の分類項目毎にＨＤＤ１３から転送してもよい。すなわち、付加情報に応じて予め分類して記録されているため、任意の分類項目毎に転送する場合であっても、かかる転送の優先順位を容易に決定することができるという利点がある。
【００５９】
また、本発明では、１つの音楽データについて複数回の分類を行い、かかる分類に応じて複数のアドレスに音楽データを記録してもよい。例えば、ＣＰＵ１６において、アルバム名とアーティスト名で分類する場合には、それぞれどの分類項目に合致するかを判定し、その旨をＨＤＤ１３へ記録するためのアドレスとして決定する。ＨＤＤ１３は、ＣＰＵ１６により指定されたアドレスに応じて、アルバム名の各分類項目と、アーティスト名の各分類項目の２箇所に音楽データを記録する。
【００６０】
さらに、本発明では、送受信部１１を介して図示しないネットワークからＭＰ３規格の音楽データを受信する場合のみならず、例えばＣＤに記録されている音楽データを読み取ってＨＤＤ１３へ記録してもよい。この場合、ＣＰＵ１６は、ＷＡＶＥファイルをＭＰ３ファイルにエンコードして、ＨＤＤ１３へ保存することになる。これにより、ネットワークとＣＤの双方から音楽データが供給される場合であっても、再生時に備えてそれぞれ自動的に分類して記録することができるため、ユーザの負担をさらに軽減させることが可能となる。
【００６１】
【発明の効果】
本発明を適用した音楽記録再生装置及び方法では、上述の如く、受信した音楽データに付加情報が存在する場合には、再生時に備えて当該付加情報に応じてその音楽データを予め自動的に分類して記録部に記録させることができる。
【００６２】
これにより、ユーザ自身が再生時に備えて、音楽データを分類して記録する必要がなくなるため、入力される音楽データの数が著しく増加しても、労力の負担を軽減させることが可能となり、ひいては記録，再生に要する時間を大幅に短縮させることが可能となる。
【図面の簡単な説明】
【図１】本発明を適用した音楽記録再生装置の構成を示す図である。
【図２】ＩＤ３タグの構成を説明するための図である。
【図３】音楽データの付加情報に応じた分類方法について説明するための図である。
【図４】受信した音楽データにつき、アーティスト名で分類する手順を示すフローチャートである。
【図５】音楽データの特徴部分に応じて自動的に分類が可能な音楽ソフト自動分類装置の構成について示す図である。
【図６】ユーザの選択操作の多様化かつ簡易化を実現する情報配信システムの構成について示す図である。
【符号の説明】
１  音楽記録再生装置、１１  送受信部、１２  通信部、１３  ＨＤＤ、１４サウンドコントロール部、１５  バスコントローラ、１６  ＣＰＵ、１７  スピーカ、１８  表示部、１９  操作キー
【図１】
2004152327.tif 000003
【図２】
2004152327.tif 000004
【図３】
2004152327.tif 000005
【図４】
2004152327.tif 000006
【図５】
2004152327.tif 000007
【図６】
2004152327.tif 000008